Podtech/llm-jp-corpus-v4-ja_patent huggingface dataset:
【誤訳訂正書】
【提出日】平成26年9月4日(2014.9.4)
【誤訳訂正１】
【訂正対象書類名】明細書
【訂正対象項目名】０００７
【訂正方法】変更
【訂正の内容】
【０００７】
指向性アンテナを利用するにはいくつかの課題があり、その一部として、アンテナがどこを示しているかを認識することと、アンテナを追跡するのに必要な機械デバイスにノイズがあって信頼性に欠けることと、送信の見通し線にあるデバイスの干渉が発生することがある。
【誤訳訂正２】
【訂正対象書類名】明細書
【訂正対象項目名】００７９
【訂正方法】変更
【訂正の内容】
【００７９】
無線電力システムは、モーション検出にも利用されてよい。電力送信システムが起動しているときに、環境内の小さな外乱は、転送の効率を変化させることがあり、その変化が送信の見通し線にない場合もある。この無線電力システムは、環境内の複数のパス（マルチパス）を活用するので、それをモーション検出器として使用することができる。ローカライズされたまたは環境に分散されたアレイから受信される電力を測定することによって、受信された電力レベルのどの変化も、環境の電磁構成の変更の表示になる。そのような使用において、ワイヤが受信機に電力を供給することができるので、電力転送レベルは非常に低くなるが、アレイを同調する手段としてのみ動作することに留意されたい。環境の構成の変化が検出されると、セキュリティシステム／アラームは、その変化を通知できる。
【誤訳訂正３】
【訂正対象書類名】特許請求の範囲
【訂正対象項目名】全文
【訂正方法】変更
【訂正の内容】
【特許請求の範囲】
【請求項１】
無線マイクロ波電力送信機であって、
コントローラと、
各々がマイクロ波電力送信信号を送信する複数のマイクロ波アレイ送受信機を有する位相アレイアンテナであって、前記送受信機は、選択された位相のそれぞれにおいて前記送受信機のそれぞれの電力送信信号を送信するように前記コントローラによって適応位相化される、位相アレイアンテナと
を備え、
各送受信機は、前記マイクロ波電力送信信号により充電されるデバイスから、複数の較正信号を受信し、および、前記複数の較正信号の各々が前記各送受信機によって受信される位相を検出するようにさらに動作可能であり、前記複数の較正信号は、前記充電されるデバイスと前記マイクロ波電力送信機との間の複数のパスをトラバースして、すべてのオープンパスを確立し、
前記コントローラは、前記検出された位相のそれぞれに基づいて前記選択された位相のそれぞれを調整し、および、前記調整された位相を複素共役に変換するようにさらに構成され、前記変換された位相のそれぞれは、前記充電されるデバイスに送信されることになる前記電力送信信号に対する最適位相を示し、
前記各送受信機は、前記それぞれの電力送信信号を、前記変換された位相において、前記確立されたオープンパスを通じて前記充電されるデバイスに送信するようにさらに構成され、
前記マイクロ波電力送信機および前記充電されるデバイスは、互いに見通し線にあることが要求されない
ことを特徴とする無線マイクロ波電力送信機。
【請求項２】
前記コントローラは、前記複数の較正信号の各々を内部信号と比較して、前記複数の較正信号の各々が受信される前記位相を検出するように構成されることを特徴とする請求項１に記載の無線マイクロ波電力送信機。
【請求項３】
無線マイクロ波電力受信機であって、
無線マイクロ波電力送信機から電力送信信号を受信して、前記無線マイクロ波電力受信機を充電するように構成された１つまたは複数のレクテナを備え、
前記無線マイクロ波電力送信機は、
コントローラと、
マイクロ波電力送信信号を送信する複数のマイクロ波アレイ送受信機を有する位相アレイアンテナであって、前記送受信機は、選択された位相のそれぞれにおいて前記電力送信信号を送信するように前記コントローラにより適応位相化され、各送受信機は、前記マイクロ波電力受信機から複数の較正信号を受信し、前記複数の較正信号の各々が前記送受信機により受信される位相を検出するようにさらに動作可能である、位相アレイアンテナと
を備え、
無線マイクロ波電力受信機は、前記複数の較正信号を前記マイクロ波電力送信機に送信するように構成された送信機をさらに備え、前記複数の較正信号は、前記無線マイクロ波電力受信機と前記無線マイクロ波電力送信機との間の複数のパスをトラバースして、すべてのオープンパスを確立し、
各レクテナは、前記マイクロ波電力送信機における前記コントローラの制御の下、前記較正信号の前記検出された位相の複素共役に変換された位相を有する電力送信信号を、前記確立されたオープンパスを通じて受信するようにさらに構成され、
前記マイクロ波電力送信機および無線マイクロ波電力受信機は、互いに見通し線にあることが要求されない
ことを特徴とする無線マイクロ波受信機。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
（ａ）乃至（ｃ）のうちのいずれかである、植物由来の単離された熱抵抗性タンパク質：
（ａ）配列番号４のアミノ酸配列を有するタンパク質
（ｂ）配列番号４のアミノ酸配列中の１〜５０の残基の置換、欠損または付加によって生じたものであり、かつ、配列番号４によって表されるアミノ酸配列と同一の機能を有する（ａ）のタンパク質由来のタンパク質
（ｃ）配列番号４のアミノ酸配列と少なくとも６０％の同一性を有し、かつ、配列番号４によって表されるアミノ酸配列と同一の機能を有する（ａ）のタンパク質由来のタンパク質。
【請求項２】
配列番号１または２に記載されるヌクレオチド配列を有する単離されたポリヌクレオチド。
【請求項３】
（ｉ）および（ｉｉ）からなる群から選択されるポリヌクレオチドを含む発現ベクター。
（ｉ）請求項１に記載のタンパク質をコードするポリヌクレオチド
（ｉｉ）（ｉ）のポリヌクレオチドに相補的なポリヌクレオチド。
【請求項４】
請求項３に記載の発現ベクターを含むか、または、請求項２に記載のポリヌクレオチドを含む、遺伝的に操作された宿主細胞。
【請求項５】
請求項２に記載のポリヌクレオチド、または、請求項３に記載の発現ベクターが、そのゲノム中に組み込まれた遺伝的に操作された宿主細胞。
【請求項６】
（ａ）請求項４または５に記載の宿主細胞を培養する工程と、
（ｂ）請求項１に記載のタンパク質を発現させる工程と、
（ｂ）請求項１に記載のタンパク質を単離する工程と、
を含む請求項１に記載のタンパク質の製造方法。
【請求項７】
植物の熱抵抗性を改善するための、請求項１に記載のタンパク質または請求項１に記載のタンパク質をコードするポリヌクレオチドの使用。
【請求項８】
前記植物中の請求項１記載のタンパク質の発現または活性を与えるかまたは促進させる工程を含む改善された熱抵抗性を有する植物の製造方法。
【請求項９】
前記製造方法は、前記植物を、請求項１に記載のタンパク質をコードするポリヌクレオチドで形質転換させる工程を含む請求項８に記載の製造方法。
【請求項１０】
請求項１に記載のタンパク質をコードするポリヌクレオチドは、前記植物のゲノムに形質転換される請求項９に記載の製造方法。
【請求項１１】
（１）請求項１に記載のタンパク質のコード配列を含む発現ベクターを含むアグロバクテリウム株を準備する工程と、
（２）植物細胞、器官または組織を準備する工程と、
（３）工程（２）の前記植物細胞、器官または組織と、工程（１）の前記アグロバクテリウム株とを接触させ、前記タンパク質のコード配列を前記植物細胞、器官または組織内に導入する工程と、
（４）任意に、植物細胞を選択する工程と、
（５）前記植物細胞、器官または組織を植物に生育させる工程と、を含む請求項９または１０に記載の製造方法。
【請求項１２】
前記コード配列が前記植物細胞、器官または組織内に導入された後に、前記コード配列が前記植物細胞、器官または組織のゲノムに組み込まれる請求項１１に記載の製造方法。
【請求項１３】
請求項２に記載のポリヌクレオチド、または請求項３に記載の発現ベクターを含む遺伝的に改変された植物。
【請求項１４】
前記植物は、アブラナ科、イネ科およびバラ科の植物からなる群から選択される請求項１３に記載の遺伝的に改変された植物。
【請求項１５】
請求項２に記載のポリヌクレオチド、または、請求項３に記載の発現ベクターを含む、遺伝的に改変された植物から得られた種子。
【請求項１６】
配列番号１または２の配列のうち少なくとも５０ヌクレオチドを含む、植物における熱抵抗性を特定するための分子マーカー。
【請求項１７】
前記分子マーカーは、植物細胞のＤＮＡの配列決定によって、植物中で特定される請求項１６に記載の分子マーカーを特定するための方法。
【請求項１８】
前記分子マーカーは、配列番号１または２のうち少なくとも５０ヌクレオチドを増幅し、かつ、増幅産物を検出することによって、植物中で特定される請求項１６に記載の分子マーカーを特定するための方法。
【請求項１９】
配列番号１または２のうち少なくとも５０ヌクレオチドは、ヌクレオチド配列番号５および６によって表されるプライマー対を使用することによって増幅される請求項１８に記載の分子マーカーを特定するための方法。
【請求項２０】
抽苔期における植物の熱抵抗性を改善するための請求項７、および１７乃至１９のいずれか１項に記載の使用または方法。
【手続補正２】
【補正対象書類名】明細書
【補正対象項目名】００１４
【補正方法】変更
【補正の内容】
【００１４】
１つの実施態様では、単離された熱抵抗性植物タンパク質は、配列番号４で表されるアミノ酸配列と少なくとも６０％、６５％、７０％、７５％、８０％、８５％、９０％、９２％、９５％、９６％、９７％、９８％または９９％の同一性を有する。１つの実施態様では、配列番号４のアミノ酸配列中において１〜２０、好ましくは１〜１０、より好ましくは１〜５、最も好ましくは１〜３の残基が置換され、欠損され、または付加される。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
目的の免疫原をコードするＲＮＡ分子を中に被包しているリポソームであって、６０ｎｍ〜１８０ｎｍの範囲の直径を有する、リポソーム。
【請求項２】
請求項１に記載のリポソームであって、８０ｎｍ〜１６０ｎｍの範囲の直径を有する、リポソーム。
【請求項３】
請求項１または２に記載のリポソームであって、カチオン性頭部を有する脂質を含む、リポソーム。
【請求項４】
請求項１〜３のいずれか一項に記載のリポソームであって、両性イオン性頭部を有する脂質を含む、リポソーム。
【請求項５】
請求項１〜４のいずれか一項に記載のリポソームであって、ＤｌｉｎＤＭＡ（１，２−ジリノレイルオキシ−Ｎ，Ｎ−ジメチル−３−アミノプロパン）、ＤＳＰＣ（１，２−ジアステアロイル−ｓｎ−グリセロ−３−ホスホコリン）、ＤＰｙＰＥ（１，２−ジフィタノイル−ｓｎ−グリセロ−３−ホスホエタノールアミン）、コレステロール、ＰＥＧ化脂質、またはこれらの組合せを含む、リポソーム。
【請求項６】
前記ＲＮＡ分子は、自己複製ＲＮＡ分子である、請求項１〜５のいずれか一項に記載のリポソーム。
【請求項７】
前記自己複製ＲＮＡ分子は、
（ｉ）該自己複製ＲＮＡ分子からＲＮＡを転写し得るＲＮＡ依存性ＲＮＡポリメラーゼ、および
（ｉｉ）免疫原
をコードする、請求項６に記載のリポソーム。
【請求項８】
前記ＲＮＡ分子は、２個のオープンリーディングフレームを有し、該２個のオープンリーディングフレームのうちの第１のものは、アルファウイルスレプリカーゼをコードし、該２個のオープンリーディングフレームのうちの第２のものは、前記免疫原をコードする、請求項７に記載のリポソーム。
【請求項９】
前記ＲＮＡ分子は、９０００〜１２０００ヌクレオチド長である、請求項１〜８のいずれか一項に記載のリポソーム。
【請求項１０】
前記免疫原は、細菌、ウイルス、真菌もしくは寄生生物に対するインビボでの免疫応答を誘発し得る、請求項１〜９のいずれか一項に記載のリポソーム。
【請求項１１】
請求項１〜１０のいずれか一項に記載のリポソームを含む、薬学的組成物。
【請求項１２】
リポソームの集団および免疫原をコードするＲＮＡ分子の集団を含む薬学的組成物であって、ここで該集団中の該リポソームの平均直径は、６０ｎｍおよび１８０ｎｍも含めた６０ｎｍ〜１８０ｎｍであり、リポソーム１つあたりのＲＮＡ分子の平均数は、５０以下である、薬学的組成物。
【請求項１３】
前記ＲＮＡ分子の集団のうちの少なくとも半分がリポソーム中に被包されている、請求項１２に記載の薬学的組成物。
【請求項１４】
前記リポソームの多分散性指数が０．２未満である、請求項１２または１３に記載の薬学的組成物。
【請求項１５】
脊椎動物における防御免疫応答を惹起するための、請求項１〜１０のいずれか一項に記載のリポソームの有効量を含む組成物または請求項１１もしくは請求項１２に記載の薬学的組成物。
【手続補正２】
【補正対象書類名】明細書
【補正対象項目名】０２３３
【補正方法】変更
【補正の内容】
【０２３３】
本発明は、例示によって記載されてきたに過ぎず、本発明の範囲および趣旨内に留まりながら、改変が行われ得ることは、理解される。
特定の実施形態では、例えば以下が提供される：
（項目１）
目的の免疫原をコードするＲＮＡを中に被包しているリポソームであって、６０ｎｍ〜１８０ｎｍの範囲の直径を有する、リポソーム。
（項目２）
項目１に記載のリポソームであって、８０ｎｍ〜１６０ｎｍの範囲の直径を有する、リポソーム。
（項目３）
前述の項目のいずれかに記載のリポソームであって、カチオン性頭部を有する脂質を含む、リポソーム。
（項目４）
前述の項目のいずれかに記載のリポソームであって、両性イオン性頭部を有する脂質を含む、リポソーム。
（項目５）
前記ＲＮＡは、自己複製ＲＮＡである、前述の項目のいずれかに記載のリポソーム。
（項目６）
前記自己複製ＲＮＡ分子は、
（ｉ）該自己複製ＲＮＡ分子からＲＮＡを転写し得るＲＮＡ依存性ＲＮＡポリメラーゼ、および
（ｉｉ）免疫原
をコードする、項目５に記載のリポソーム。
（項目７）
前記ＲＮＡ分子は、２個のオープンリーディングフレームを有し、該２個のオープンリーディングフレームのうちの第１のものは、アルファウイルスレプリカーゼをコードし、該２個のオープンリーディングフレームのうちの第２のものは、前記免疫原をコードする、項目６に記載のリポソーム。
（項目８）
前記ＲＮＡ分子は、９０００〜１２０００ヌクレオチド長である、前述の項目のいずれかに記載のリポソーム。
（項目９）
前記免疫原は、細菌、ウイルス、真菌もしくは寄生生物に対するインビボでの免疫応答を誘発し得る、前述の項目のいずれかに記載のリポソーム。
（項目１０）
前述の項目のいずれかに記載のリポソームを含む、薬学的組成物。
（項目１１）
リポソームの集団を含む薬学的組成物であって、ここで該集団中の該リポソームの平均直径は、６０ｎｍおよび１８０ｎｍも含めた６０ｎｍ〜１８０ｎｍである、薬学的組成物。
（項目１２）
脊椎動物における防御免疫応答を惹起するための方法であって、該方法は、該脊椎動物に、項目１〜９に記載のリポソームまたは項目１０もしくは項目１１に記載の薬学的組成物の有効量を投与する工程を包含する、方法。
【手続補正書】
【提出日】平成26年5月2日(2014.5.2)
【手続補正１】
【補正対象書類名】明細書
【補正対象項目名】０１２８
【補正方法】変更
【補正の内容】
【０１２８】
特定の実施形態では、修飾オリゴヌクレオチドのヌクレオベース配列は、配列番号：１、ＸＸＸ、および１７０に対し１００％相補的である。
【手続補正２】
【補正対象書類名】明細書
【補正対象項目名】０１６３
【補正方法】変更
【補正の内容】
【０１６３】
【表１−１】
2013538561.tif 000001
【表１−２】
2013538561.tif 000002
【表１−３】
2013538561.tif 000003
【手続補正３】
【補正対象書類名】明細書
【補正対象項目名】０３４２
【補正方法】変更
【補正の内容】
【０３４２】
表３４のアンチセンスオリゴヌクレオチドは、５−１０−５ギャップマーであり、ギャップセグメントは、１０の２’−デオキシヌクレオシドを含み、各ウイングセグメントは、５つの２’−ＭＯＥヌクレオシドを含む。各ギャップマー全域のヌクレオシド間結合は、ホスホロチオエート（Ｐ＝Ｓ）結合である。各ギャップマー全域の全シチジン残基は、５−メチルシチジンである。「標的開始部位」は、アンチセンスオリゴヌクレオチドが標的にする５’−最末端ヌクレオチドを指す。「標的終了部位」は、アンチセンスオリゴヌクレオチドが標的にする３’−最末端ヌクレオチドを指す。表３４に挙げた全てのアンチセンスオリゴヌクレオチドは、配列番号ＸＸＸ（ＧＥＮＢＡＮＫ受入番号ＮＭ＿００１１００．３）を標的にする。
【表３４】
2013538561.tif 000004
【手続補正４】
【補正対象書類名】明細書
【補正対象項目名】０３６０
【補正方法】変更
【補正の内容】
【０３６０】
アッセイした全てのギャップマーを表４０に記載し、これらは、５−１０−５ギャップマーであり、ギャップセグメントは、１０の２’−デオキシヌクレオシドを含み、各ウイングセグメントは、５つの２’−ＭＯＥヌクレオシドを含む。各ギャップマー全域のヌクレオシド間結合は、ホスホロチオエート（Ｐ＝Ｓ）結合である。各ギャップマー全域の全シチジン残基は、５−メチルシチジンである。全ギャップマーは、標的配列番号１７０（ヌクレオチド１８５４０６９６を１８５５５１０６に切断したＧＥＮＢＡＮＫ受入番号ＮＴ＿０１１１０９．１５の相補配列）を標的とする。「標的開始部位」は、アンチセンスオリゴヌクレオチドが標的とする５’−最末端ヌクレオチドを指す。「標的終了部位」は、アンチセンスオリゴヌクレオチドが標的とする３’−最末端ヌクレオチドを指す。
【表４０】
2013538561.tif 000005
【表４１】
2013538561.tif 000006
【表４２】
2013538561.tif 000007
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
アミノ酸配列の28、29、30、31、32、36、46、49、50、51、53、67、68、90、91、92、
93又は94位のうちの少なくとも一つにアミノ酸置換を含んでなる、DOM7h-11(配列番号125
)の抗血清アルブミン(SA)免疫グロブリン単一可変ドメイン変異体又はDOM7h-11(配列番号125)のアミノ酸配列と少なくとも96、97、98又は99%同一なアミノ酸配列を有する誘導体。
【請求項２】
アミノ酸配列の28、29、30、31、32、36、46、49、50、51、53、67、68、90、91、92、
93又は94位のうちの少なくとも一つにアミノ酸置換を含んでなる、DOM7h-11-3(配列番号2)若しくはDOM7h-11-15(配列番号1)若しくはDOM7h-11-12(配列番号157)の抗血清アルブミン(SA)免疫グロブリン単一可変ドメイン変異体又はDOM7h-11-13(配列番号2)若しくはDOM7h-11-15(配列番号1)のアミノ酸配列と少なくとも96、97、98又は99%同一なアミノ酸配列を有する誘導体。
【請求項３】
アミノ酸配列の30、31、32、49、50、51、53、67、91又は94位のうちの少なくとも一つにアミノ酸置換を含む、請求項1または２に記載の抗血清アルブミン(SA)免疫グロブリン単一可変ドメイン変異体。
【請求項４】
アミノ酸配列のGly30、Thr31、Met32、Leu49、Ala50、Phe51、Arg53、Ser67、Ala91又
はHis94位のうちの少なくとも一つにアミノ酸置換を含んでなる、DOM7h-11-15(配列番号1)の抗血清アルブミン(SA)免疫グロブリン単一可変ドメイン変異体又はDOM7h-11-15(配列番号1)のアミノ酸配列と少なくとも96、97、98又は99%同一なアミノ酸配列を有する誘導体。
【請求項５】
アミノ酸配列のGly30、Thr31、Thr32、Leu49、Trp50、Asn51、Arg53、Ser67、Ala91又
はHis94位のうちの少なくとも一つにアミノ酸置換を含んでなる、DOM7h-11-3(配列番号2)の抗血清アルブミン(SA)免疫グロブリン単一可変ドメイン変異体又はDOM7h-11-3(配列番号2)のアミノ酸配列と少なくとも96、97、98又は99%同一なアミノ酸配列を有する誘導体。
【請求項６】
置換が保存的アミノ酸置換である、請求項1から5のいずれかに記載の変異体。
【請求項７】
DDOM7h-11-15(配列番号1)又はDOM7h-11-3(配列番号2)の変異体であり、DOM7h-11-15(配列番号1)又はDOM7h-11-3(配列番号2)と比較して、以下:
アミノ酸:
Gly30位=Pro、Ala
Thr31位=Ser
Thr32位=Ser
Leu49位=ノルロイシン、Ile、Val、Met、Ala、Phe
Trp50位=Tyr、Phe
Asn51位=Gln
Arg53位=Lys、Gln、Asn
Ser67位=Thr、Ala、Cys
Ala91位=Val、Leu、Ile
His94位=Asn、Gln、Lys、Arg
から選択される少なくとも一つの突然変異を含む、請求項6に記載の変異体。
【請求項８】
置換が非保存的アミノ酸置換である、請求項1から5のいずれかに記載の変異体。
【請求項９】
SAが、ヒト血清アルブミン(HSA)である、請求項1から8のいずれかに記載の変異体。
【請求項１０】
a)  表面プラズモン共鳴によって決定される、約0.1から約10000nMまで、場合により約1から約6000nMまでの解離定数(KD)で；
b)  表面プラズモン共鳴によって決定される、約1.5×10-4から約0.1sec-1まで、場合により約3×10-4から約0.1sec-1までの解離速度定数(Kd)で；および/または
c)  表面プラズモン共鳴によって決定される、約2×106から約1×104M-1sec-1まで、場合により約1×106から約2×104M-1sec-1までの結合速度定数(Ka)で
ヒトSAに特異的に結合する結合部位を含む請求項1から9のいずれかに記載の変異体。
【請求項１１】
a)  表面プラズモン共鳴によって決定される、約0.1から約10000nMまで、場合により約1から約6000nMまでの解離定数(KD)で；
b)  表面プラズモン共鳴によって決定される、約1.5×10-4から約0.1sec-1まで、場合により約3×10-4から約0.1sec-1までの解離速度定数(Kd)で；
c)  表面プラズモン共鳴によって決定される、約2×106から約1×104M-1sec-1まで、場合により約1×106から約5×103M-1sec-1までの結合速度定数(Ka)で
カニクイザルSAに特異的に結合する結合部位を含む、請求項1から10のいずれかに記載の変異体又は結合部分。
【請求項１２】
請求項1から11のいずれかに記載の任意の抗SA変異体又はSA結合部分及びSA以外の標的抗原に特異的に結合する結合部分を含む多重特異性リガンド。
【請求項１３】
請求項1から12のいずれかに記載の変異体又を含む融合タンパク質、コンジュゲート又は組成物。
【請求項１４】
請求項1から13のいずれかに記載の変異体、多重特異性リガンド又は融合タンパク質をコードしているヌクレオチド配列を含む核酸。
【請求項１５】
患者の疾患又は障害を治療又は予防する方法において使用するための、請求項1から14のいずれかに記載の変異体、融合タンパク質又はリガンド。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
懸濁物中の細胞培養物の連続灌流培養によって、止血タンパク質を生産するための方法であって、前記細胞培養物が、前記培養物の懸濁物中に前記止血タンパク質を発現し、
前記細胞培養物が、フィルターモジュールを通過して流動し、前記フィルターモジュールが、回収ポートに通じ、前記フィルターモジュールが、前記止血タンパク質の通過を可能とする０．１から２．９μｍまでのメッシュサイズを有し、且つ
前記フィルターモジュールを通過する前記流動が、交互のタンジェンシャルフローである、
止血タンパク質を生産するための方法。
【請求項２】
前記止血タンパク質が、第ＩＸ因子である、請求項１に記載の方法。
【請求項３】
前記止血タンパク質が、第ＶＩＩＩ因子である、請求項１に記載の方法。
【請求項４】
前記止血タンパク質が、第ＶＩＩ因子である、請求項１に記載の方法。
【請求項５】
大規模発酵（少なくとも５００Ｌ）において行われる、請求項１から４のいずれか一項に記載の方法。
【請求項６】
前記灌流の速度が、１日当たり０．７から１０容量までである、請求項１から５のいずれか一項に記載の方法。
【請求項７】
ろ過されていない細胞培養物の懸濁物が、１日当たり０から０．５容量の速度で取り除かれる、請求項１から６のいずれか一項に記載の方法。
【請求項８】
ろ過されていない細胞培養物の懸濁物が、１日当たり０．０１から０．２容量の速度で取り除かれる、請求項２に記載の方法。
【請求項９】
ろ過されていない細胞培養物の懸濁物が、連続的にまたは不連続的に取り除かれる、請求項１から８のいずれか一項に記載の方法。
【請求項１０】
前記細胞の濃度が、８０×１０６細胞／ｍｌ未満に維持される、請求項１から９のいずれか一項に記載の方法。
【請求項１１】
前記細胞の濃度が、５０×１０６細胞／ｍｌ未満である、請求項１０に記載の方法。
【請求項１２】
請求項１から１０のいずれか一項に記載の方法によって生産される組換えタンパク質。
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
自重供給式浄水システムであって、
少なくとも１つの濾過媒体と、
前記少なくとも１つの濾過媒体と混合された、少なくとも１つの結合剤であって、多孔性複合材ブロックが、前記少なくとも１つの濾過媒体および前記少なくとも１つの結合剤の混合物を焼結することによって形成されている、結合剤と、
前記複合材ブロックが、その中に配置される、筐体管と、
を備えることを特徴とするシステム。
【請求項２】
前記少なくとも１つの結合剤は、前記筐体管の内側表面に熱的に結合されている、請求項１に記載の自重供給式浄水システム。
【請求項３】
前記混合物は、前記少なくとも１つの結合剤の融点を上回る温度に加熱され、それにより、多孔性ブロックが、前記混合物の乾燥時に形成されている、請求項１に記載の自重供給式浄水システム。
【請求項４】
前記少なくとも１つの濾過媒体の親水性は、増加されている、請求項１に記載の自重供給式浄水システム。
【請求項５】
前記少なくとも１つの濾過媒体の親水性は、前記少なくとも１つの結合剤の量を減少させることによって増加されている、請求項１に記載の自重供給式浄水システム。
【請求項６】
前記多孔性円筒形ブロックは、外部鋳型を使用せずに、直接、前記筐体管の内側に形成されている、請求項１に記載の自重供給式浄水システム。
【請求項７】
前記少なくとも１つの活性濾過媒体は、活性炭、活性木炭、活性アルミナ、砂、金属酸化物または水酸化物ナノ粒子装填活性アルミナもしくは炭、金属ナノ粒子装填活性アルミナまたは炭、イオン交換樹脂ビーズ、ミクロンサイズの金属酸化物の組成物、金属水酸化物、あるいはそれらの組み合わせのうちの少なくとも１つを含む、請求項１に記載の自重供給式浄水システム。
【請求項８】
前記ミクロンサイズの金属酸化物の組成物は、シリカ、チタニア、マグネシア、セリア、酸化マンガン、ゼオライト、またはそれらの組み合わせのうちの１つ以上を含む、請求項７に記載の自重供給式浄水システム。
【請求項９】
前記金属水酸化物は、ベーマイトおよび酸化水酸化鉄のうちの少なくとも１つを含む、請求項７に記載の自重供給式浄水システム。
【請求項１０】
前記混合物を焼結することは、少なくとも約１００℃の温度で行われる、請求項１に記載の自重供給式浄水システム。
【請求項１１】
少なくとも、第２の濾過媒体が、前記少なくとも１つの濾過媒体と混成されている、請求項１に記載の自重供給式浄水システム。
【請求項１２】
前記筐体管は、前記少なくとも１つの濾過媒体および前記少なくとも１つの結合剤の混合物の原位置鋳造のために使用されている、請求項１に記載の自重供給式浄水システム。
【請求項１３】
前記筐体管は、多孔性である、請求項１に記載の自重供給式浄水システム。
【請求項１４】
前記筐体管は、非多孔性である、請求項１に記載の自重供給式浄水システム。
【請求項１５】
前記筐体管は、非多孔性陶器、せっ器、磁器、ナイロン、テフロン（登録商標）、繊維補強プラスチック、高密度ポリエチレン（ＨＤＰＥ）、超高分子量ポリエチレン（ＵＨＭＷＰＥ）、ＰＰ、ポリ塩化ビニル（ＰＶＣ）、高密度ポリ塩化ビニル（ＵＰＶＣ）、シリコーン、またはそれらの組み合わせのうちの少なくとも１つを含む、請求項１に記載の自重供給式浄水システム。
【請求項１６】
前記筐体管は、多孔性陶器、セラミック細菌濾過器、ポリマー細菌濾過器、またはそれらの組み合わせのうちの少なくとも１つを備える、請求項１に記載の自重供給式浄水システム。
【請求項１７】
前記筐体管の形状は、開口円筒形、ドーム形、円錐形、または半球形のうちの１つである、請求項１に記載の自重供給式浄水システム。
【請求項１８】
前記複合材ブロックは、垂直に位置付けられている、請求項１に記載の自重供給式浄水システム。
【請求項１９】
前記複合材ブロックは、下向きまたは上向きの水流方向のうちの１つを支持する、請求項１に記載の自重供給式浄水システム。
【請求項２０】
前記複合材ブロックは、略水平に位置付けられる、請求項１に記載の自重供給式浄水システム。
【請求項２１】
前記複合材ブロックは、水平に対して角度を成して位置付けられる、請求項１に記載の自重供給式浄水システム。
【請求項２２】
前記複合材ブロックは、下向きおよび上向き流動方向のうちの１つを支持する、請求項１に記載の自重供給式浄水システム。
【請求項２３】
中空中心コアが、前記軸流円筒形ブロック内に孔を穿通することによって形成されている、請求項１に記載の自重供給式浄水システム。
【請求項２４】
前記少なくとも１つの結合剤は、加熱によってプレコーティングされている、請求項１に記載の自重供給式浄水システム。
【請求項２５】
前記自重供給式浄水システムは、粒状媒体濾過デバイスである、請求項１に記載の自重供給式浄水システム。
【請求項２６】
前記少なくとも１つの濾過媒体は、湿気を含まないまたは実質的に含まない、請求項１に記載の自重供給式浄水システム。
【請求項２７】
自重供給式浄水システムにおいて使用される軸流ブロックを製造するための方法であって、
湿気を含まないまたは実質的に含まない、少なくとも１つの濾過媒体を提供する工程、
前記少なくとも１つの濾過媒体および少なくとも１つの結合剤の混合物を筐体管内に充填する工程、および
前記混合物を前記少なくとも１つの結合剤の融点を上回る温度に加熱することであって、それにより、多孔性ブロックが、前記混合物の乾燥時に形成される工程、
を含むことを特徴とする方法。
【請求項２８】
少なくとも１つの濾過媒体を提供する前記ステップは、湿気を含む濾過媒体を提供し、すべてまたは実質的にすべての湿気を前記少なくとも１つの濾過媒体から除去することを含む、請求項２７に記載の方法。
【手続補正書】
【提出日】平成26年9月11日(2014.9.11)
【手続補正１】
【補正対象書類名】特許請求の範囲
【補正対象項目名】請求項４
【補正方法】変更
【補正の内容】
【請求項４】
工程ｂ）又は工程ｅ）又はその両方において添加される少なくとも１種のシランが、式：
【化１】
2013538683.tif 000001
［上記式中、４つの基Ｒ１、Ｒ２、Ｒ３及びＲ４は、完全に又は部分的に、相互に異なっているか又は相互に同一であることができ；かつ
前記基Ｒ１、Ｒ２、Ｒ３及びＲ４は、アルキル基、アリール基、アルカリール基、アルキルアミン基、ヒドロキシル基、エーテル基、エステル基、酸基、Ｃｌ原子、Ｂｒ原子、Ｉ原子、Ｆ原子、又はＲ４について場合により加水分解されたエトキシ基、又は式：
【化２】
2013538683.tif 000002
［上記式中：
ｎ１＝０〜８であり、ｎ２＝０〜１０であり；そして
Ｙは、Ｏ原子、ＮＨ基、Ｓ原子、Ｓｉ原子、ＮＲ’基から選択され；そして
Ｚは、ＣＨ３基、ＮＨ２基、ＳＨ基、Ｃｌ原子、Ｂｒ原子、Ｉ原子、グリコシド基、ヒドロキシル基、酸基、エーテル基、エステル基、アミド基、ＮＨ−Ｒ’基、ＮＲ’−Ｒ”基から選択され、
そして式中：
Ｒ’は、アルキル基、アリール基、アルカリール基、アルキルアミン基、エーテル基、エステル基、ケトン基、分岐環から選択され、そして
Ｒ”は、アルキル基、アリール基、アルカリール基、アルキルアミン基から選択される］で表される種類の基から選択される］
で表される種類のシランであることを特徴とする、請求項１〜３のいずれか一項に記載の方法。
【手続補正２】
【補正対象書類名】明細書
【補正対象項目名】００２０
【補正方法】変更
【補正の内容】
【００２０】
このシランにおいて、これら４つの基Ｒ１、Ｒ２、Ｒ３及びＲ４は、アルキル基、アリール基、アルカリール基、アルキルアミン基、ヒドロキシル基、エーテル基、エステル基、酸基、Ｃｌ原子、Ｂｒ原子、Ｉ原子、Ｆ原子、又は（Ｒ４について）場合により加水分解されたエトキシ基、又は下記式：
【化２】
2013538683.tif 000003
［式中：
ｎ１＝０〜８、ｎ２＝０〜１０であり；そして
Ｙは、Ｏ原子、ＮＨ基、Ｓ原子、Ｓｉ原子、ＮＲ’基から選択され；そして
Ｚは、ＣＨ３基、ＮＨ２基、ＳＨ基、Ｃｌ原子、Ｂｒ原子、Ｉ原子、グリコシド基、ヒドロキシル基、酸基、エーテル基、エステル基、アミド基、ＮＨ−Ｒ’基、ＮＲ’−Ｒ”基から選択され、そして
式中（Ｙ及びＺについて）：
Ｒ’は、アルキル基、アリール基、アルカリール基、アルキルアミン基、エーテル基、エステル基、ケトン基、分岐環（cycle ramifie；branched ring）から選択され、かつ
Ｒ”は、アルキル基、アリール基、アルカリール基、アルキルアミン基から選択される］で表される種類の基から選択される。
【手続補正３】
【補正対象書類名】図面
【補正対象項目名】図１
【補正方法】変更
【補正の内容】
【図１】
2013538683.tif 000004
【手続補正書】
【提出日】平成26年8月26日(2014.8.26)
【手続補正１】
【補正対象書類名】明細書
【補正対象項目名】００３１
【補正方法】変更
【補正の内容】
【００３１】
請求項に記載された発明の精神及び範囲から逸脱することのない、本発明の修正及び変更は当業者に容易に明らかであるべきだが、本発明の対象は効率的に獲得されると理解される。上述の説明は本発明を例示するものであり、これに限定するように解されるべきではない。よって、本発明の別の実施形態は、本発明の精神及び範囲を逸脱しない範囲で可能である。
さらに、以下１）〜８）の方法が開示される。
１）フロントカバーと、第１及び第２のプレートと、ボディ部、頭部、及び前記ボディ部並びに前記頭部を貫通する長手方向軸線を有するリベットと、を備えるトルクコンバータ内でリベットを用いてプレートを連結する方法であって、前記頭部の端面が湾曲され又は複数の平面部を形成するように、前記リベットの頭部を形成するステップと、前記フロントカバーの内面の一部分を、前記内面の包囲部に対して突出又は窪むように形成するステップと、前記リベット頭部の端面が前記フロントカバーに面するように、前記第１のプレートの一部分における孔内及び前記第２のプレートの一部分における孔内に、前記リベットのボディ部を配置するステップと、前記リベット頭部の端面が前記内面の一部分に接触し、前記第１のプレートの一部分及び前記第２のプレートの一部分が前記内面の包囲部に対して鋭角を成し、且つ前記リベットの長手方向軸線が前記内面の包囲部に直交する線に対して鋭角を成すように、前記第１及び第２のプレートを動かすステップと、を有することを特徴とするトルクコンバータ内でリベットを用いてプレートを連結する方法。
２）前記各孔が長手方向軸線を有し、前記各孔内に前記リベットのボディ部を配置することで、前記各孔の長手方向軸線と前記リベットの長手方向軸線とを位置合わせし、前記第１及び第２のプレートを動かすことで、前記内面の一部分に沿って前記リベット頭部が摺動し、前記各孔の長手方向軸線と前記リベットの長手方向軸線との位置合わせを維持することを特徴とする、上記１）記載の方法。
３）前記第１及び第２のプレートを動かすことで、前記内面の包囲部に直交する方向に力が加わることを特徴とする、上記１）記載の方法。
４）前記ボディ部から前記頭部の方向に突出するように前記リベットの端面を形成することを含む、前記リベットの頭部を形成するステップと、前記内面の一部分を窪むように形成することを含む、前記内面の一部分を突出又は窪むように形成するステップと、を有することを特徴とする、上記１）記載の方法。
５）前記端面の第１の部分を前記端面の第２の部分から突出するように形成することを含む、前記リベットの頭部を形成するステップを有することを特徴とする、上記１）記載の方法。
６）前記端面の第１の部分は前記長手方向軸線と同じ軸線上に配置されており、前記端面の第２の部分は平面であることを特徴とする、上記５）記載の方法。
７）前記頭部の端面を前記ボディ部の方向に窪むように形成することを含む、前記リベットの頭部を形成するステップと、前記内面の一部分を突出するように形成することを含む、前記フロントカバーの内面の一部分を突出又は窪むように形成するステップと、を有することを特徴とする、上記１）記載の方法。
８）前記リベットの端面は、前記リベットの長手方向軸線に対する円周線によって完全に包囲された部分を有し、前記端面の一部分は前記内面の一部分に接触することを特徴とする、上記１）記載の方法。
【手続補正２】
【補正対象書類名】特許請求の範囲
【補正対象項目名】全文
【補正方法】変更
【補正の内容】
【特許請求の範囲】
【請求項１】
内面の包囲部に対して突出した又は窪んだ部分を有する内面を有し且つ原動機と駆動係合するフロントカバーと、
孔を有する部分を各々有する第１及び第２のプレートと、
ボディ部、頭部、及び前記ボディ部並びに前記頭部を貫通する長手方向軸線を有するリベットと、を有するトルクコンバータ用アッセンブリであって、
前記ボディは前記各孔内に配置され、
前記リベットを前記第１及び第２のプレートに固定するために、前記内面の一部分に前記リベットを圧縮するための力を加えるとき、前記内面の一部分と前記リベット頭部との間に接触が生じ得るように、前記第１及び第２のプレートは可撓性を有しており、
前記リベットが圧縮されるとき、前記第１及び第２のプレートは前記内面の包囲部に対して鋭角を成し、前記リベットの長手方向軸線は前記内面の包囲部に直交する線に対して鋭角を成すことを特徴とする、トルクコンバータ用アッセンブリ。
【請求項２】
前記リベット頭部は、前記フロントカバーに面する端面を有し、
前記内面の一部分と前記リベット頭部との間に接触が生じる前に、前記端面は湾曲され又は複数の平面を形成していることを特徴とする、請求項１記載のトルクコンバータ用アッセンブリ。
【請求項３】
前記内面の一部分と前記リベット頭部との間に接触が生じる前に、前記リベットの端面は前記ボディ部から離れる方向に突出しており、
前記内面の一部分は、前記内面の包囲部に対して窪んでいることを特徴とする、請求項２記載のトルクコンバータ用アッセンブリ。
【請求項４】
前記内面の一部分と前記リベット頭部との間に接触が生じる前に、前記端面の第１の部分は前記端面の第２の部分から突出していることを特徴とする、請求項２記載のトルクコンバータ用アッセンブリ。
【請求項５】
前記端面の第１の部分は前記長手方向軸線と同じ軸線上に配置されていることを特徴とする、請求項４記載のトルクコンバータ用アッセンブリ。
【請求項６】
前記内面の一部分と前記リベット頭部との間に接触が生じる前に、前記リベットの端面は前記ボディ部の方向に窪んでおり、
前記内面の一部分は前記第２の部分に対して突出していることを特徴とする、請求項４記載のトルクコンバータ用アッセンブリ。
【請求項７】
前記リベット頭部は、前記リベットの長手方向軸線に対する円周線によって完全に包囲された部分を有する端面を有し、
前記端面の一部分は前記内面の一部分に接触することを特徴とする、請求項４記載のトルクコンバータ用アッセンブリ。
【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
本体とカートリッジとを含む吸入器であって、前記カートリッジが投与量貯蔵部と通気路とを備え、前記投与量貯蔵部が複数回投与量の吸入可能な薬剤を収容するのに適し、前記通気路がその一端にマウスピースを含み、前記マウスピースを介したユーザによる吸入時に、前記投与量貯蔵部からの１回分の吸入可能な薬剤にアクセスしてこの薬剤を前記通気路を通じてユーザへ供給するための供給構成で配置できるように吸入装置が構成および配置され、前記カートリッジを前記本体に対して交換可能に取り付けることができる、吸入器において、前記投与量貯蔵部は、吸入可能な薬剤の予め計量された投与量を含む、複数の投与量容器を備えるように構成され、前記本体は、制御ユニット（３２）と、前記投与量容器（２６）を開放する開放ユニット（４０）とを備え、前記制御ユニット（３２）は、前記開放ユニットを作動して、吸入事象のために前記投与量容器（２６）を開放することを特徴とする、吸入器。
【請求項２】
前記予め計量された投与量の吸入可能な薬剤が複数のブリスター内に収容され、前記各ブリスターが１回分の薬剤を収容する、請求項１に記載の吸入器。
【請求項３】
前記カートリッジがカバーを更に備え、前記カバーは、このカバーがマウスピースを実質的に覆う保護位置と、前記マウスピースが露出される使用位置との間で移動できる、請求項１又は２に記載の吸入器。
【請求項４】
前記カートリッジは、ユーザが作動させることができる少なくとも１つのアクチュエータをさらに備え、前記アクチュエータおよび前記カートリッジは、作動時に前記投与量貯蔵部からの１回分の吸入可能な薬剤にアクセスしてこの薬剤をユーザへ供給するための供給構成で配置できるように構成される、請求項１〜３のいずれか１項に記載の吸入器。
【請求項５】
カバーの移動が前記アクチュエータを作動するように、前記カバーが前記アクチュエータに接続され、前記カバーは、このカバーがマウスピースを実質的に覆う保護位置と、前記マウスピースが露出される使用位置との間で移動できる、請求項４に記載の吸入器。
【請求項６】
前記アクチュエータは、移動可能なマウスピースカバーの形状である、請求項５に記載の吸入器。
【請求項７】
前記本体が凝集塊除去機構を含み、前記凝集塊除去機構がエネルギー源とトランスデューサとを備え、前記トランスデューサは、前記エネルギー源からエネルギーを受けるとともに、そのエネルギーの少なくとも一部を１回分の吸入可能な薬剤に伝えて前記吸入可能な薬剤の凝集塊除去を補助する、請求項１〜６のいずれか１項に記載の吸入器。
【請求項８】
前記エネルギー源が電気エネルギー源であり、前記トランスデューサが振動要素を含む請求項７に記載の吸入器。
【請求項９】
前記振動要素が圧電素子を備える、請求項８に記載の吸入器。
【請求項１０】
前記本体は、この本体の取り付け側面に対して垂直に延びる脚部を備え、前記本体の前記取り付け側面は、吸入器を形成するために前記カートリッジが取り付けられる面である、請求項１〜９のいずれか１項に記載の吸入器。
【請求項１１】
前記カートリッジが投与量表示領域を含み、前記本体が窓を含み、前記カートリッジが前記本体に取り付けられるときに前記窓を通じて前記表示領域の少なくとも一部が見える、請求項１〜１０のいずれか１項に記載の吸入器。
【請求項１２】
前記供給構成に容器を配置することは、前記貯蔵部から当該貯蔵部の外側位置への容器の移動を含む、請求項１〜１１のいずれか１項に記載の吸入器。
【請求項１３】
前記カートリッジは前記アクチュエータに結合される駆動機構も含み、前記アクチュエータの動きによって第１の位置と第２の位置との間で前記駆動機構が駆動され、前記アクチュエータが前記第１の位置から前記第２の位置へ移動される際に、前記駆動機構は、容器を前記投与量貯蔵部から開放位置へと移動するように作動可能であり、前記アクチュエータが前記第２の位置から前記第１の位置へ移動される際に、前記駆動機構は、さらに前記容器を前記投与量貯蔵部へ戻すように作動可能であり、前記容器が開放されていれば、前記駆動機構が、次に前記アクチュエータが移動されるときに異なる容器を取り出すべく指標付けする、請求項１〜１２のいずれか１項に記載の吸入器。
【請求項１４】
前記本体の開口は、柔軟な膜でほぼシールされて、前記本体と前記カートリッジとの間の機械的な結合を可能とする、請求項１〜１３のいずれか１項に記載の吸入器。
【請求項１５】
請求項１に記載の吸入器で用いるのに適したカートリッジであって、このカートリッジが投与量貯蔵部を備え、前記投与量貯蔵部が複数回投与量の吸入可能な薬剤を収容するのに適する、カートリッジ。
【誤訳訂正書】
【提出日】平成26年8月25日(2014.8.25)
【誤訳訂正１】
【訂正対象書類名】明細書
【訂正対象項目名】００３１
【訂正方法】変更
【訂正の内容】
【００３１】
本発明の実施形態は、患者についてのＸ線画像を取得するのに役立つように用いることができ、ここで、露光が終了したほんの直後に画像を表示することができる。Ｘ線画像感知に加えて、本発明の実施形態はまた、例えば、無線インターフェースを用いた口腔内カメラの使用のような他の画像形成用途にも役立ち得る。口腔内カメラは、白色光画像、又は、例えば蛍光若しくは光コヒーレンス断層撮影法による画像のような他のモダリティ画像を用いて、静止画像又はビデオ画像を収集することができる。さらに、口腔内画像又は外部の顔特徴の画像を取得するためなどに、従来のデジタル・カメラを、このシステムと共に用いることができる。また、歯科用超音波装置のためのセンサも用いることができる。
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
蠕動ポンプカセットを形成するための方法であって、
バルクチュービングを選択するステップと、
前記チュービングの部分を伸ばすステップと、
前記チュービングの前記部分を切断するステップと、
前記チュービングの前記部分の少なくとも一端をポンプカセットのコネクタに取り付けるステップとを含む方法。
【請求項２】
所定の力を印加して前記チュービング部分を伸ばすステップと、
前記チュービング部分を所定の長さのところで切断するステップとを含む請求項１に記載の方法。
【請求項３】
力をチュービング部分に印加して前記チュービング部分を所定の長さまで伸ばすステップと、
前記チュービング部分を前記所定の長さまで伸ばすために必要な力と相関する位置で前記チュービング部分を切断するステップを含む請求項１に記載の方法。
【請求項４】
前記チュービング部分は、伸ばす前にポンプカセットのコネクタに取り付けられる請求項１から３のいずれかに記載の方法。
【請求項５】
前記チュービング部分に１．８１４から２．７２２ｋｇ（４から６ポンド）の範囲内の力を加えるステップを含む請求項１から３のいずれかに記載の方法。
【請求項６】
前記チュービング部分を、周囲条件の下で前記チュービング部分が１２．４４６から１２．９５４ｃｍ（４．９から５．１インチ）の範囲内の長さとなるように切断するステップを含む請求項１から３のいずれかに記載の方法。
【請求項７】
前記チュービングは、約５．０８０ｍｍ（０．２００インチ）±０．０７６ｍｍ（０．００３インチ）の外径および約３．０４８ｍｍ（０．１２０インチ）±０．０７６ｍｍ（０．００３インチ）の内径を有する請求項１から３のいずれかに記載の方法。
【請求項８】
前記チュービング部分は、バルク原材料から引き出され、前記チュービング部分は、伸ばし前に一端で支持または固定される請求項１から３のいずれかに記載の方法。
【請求項９】
前記バルク原材料は、所定の範囲のバラツキ内に収まるチュービングのロールである請求項８に記載の方法。
【請求項１０】
前記チュービング部分は、伸ばし前に前記チュービング部分を前記蠕動ポンプカセットのコネクタに取り付けることによって支持または固定される請求項８に記載の方法。
【請求項１１】
前記チュービングの前記部分は、所定の力の下で伸ばされる請求項１に記載の方法。
【請求項１２】
前記チュービングの前記部分は、所定の長さまで伸ばされる請求項１に記載の方法。
【手続補正２】
【補正対象書類名】明細書
【補正対象項目名】００４６
【補正方法】変更
【補正の内容】
【００４６】
そこで、経腸栄養および輸液ポンプカセットを形成するための改善された方法が開示されている。請求項の範囲から逸脱することなく、多くの変更を本発明に加えることができることは理解されるであろう。
以上説明したように、本発明は以下の形態を有する。
［形態１］
蠕動ポンプカセットを形成するための方法であって、
所定の力を印加してチュービング部分を伸ばすステップと、
前記チュービング部分を所定の長さのところで切断するステップと、
前記チュービング部分を少なくとも１つのコネクタに取り付けて蠕動ポンプカセットを形成するステップとを含む方法。
［形態２］
前記チュービング部分に１．８１４から２．７２２ｋｇ（４から６ポンド）の範囲内の力を加えるステップを含む形態１に記載の方法。
［形態３］
前記チュービング部分を、周囲条件の下で前記チュービング部分が１２．４４６から１２．９５４ｃｍ（４．９から５．１インチ）の範囲内となるように切断するステップを含む形態１に記載の方法。
［形態４］
前記チュービングは、約５．０８０ｍｍ（０．２００インチ）±０．０７６ｍｍ（０．００３インチ）の外径および約３．０４８ｍｍ（０．１２０インチ）±０．０７６ｍｍ（０．００３インチ）の内径を有する形態１に記載の方法。
［形態５］
前記チュービング部分の一端は、伸ばしの前にコネクタに取り付けられる形態１に記載の方法。
［形態６］
前記チュービング部分は、バルク原材料から引き出され、前記チュービング部分は、伸ばし前に一端で支持または固定される形態１に記載の方法。
［形態７］
前記バルク原材料は、バラツキの所定の範囲内に収まるチュービングのロールである形態１に記載の方法。
［形態８］
前記チュービング部分は、前記所定の力を印加する前にコネクタに取り付けられる形態１に記載の方法。
［形態９］
蠕動ポンプカセットを形成するための方法であって、
力をチュービング部分に印加して前記チュービング部分を所定の長さまで伸ばすステップと、
前記チュービング部分を前記所定の長さまで伸ばすために必要な力と相関する位置で前記チュービング部分を切断するステップと、
前記チュービング部分を少なくとも１つのコネクタに取り付けて蠕動ポンプカセットを形成するステップとを含む方法。
［形態１０］
前記チュービング部分に１．８１４から２．７２２ｋｇ（４から６ポンド）の範囲内の力を加えるステップを含む形態９に記載の方法。
［形態１１］
前記チュービング部分を、周囲条件の下で前記チュービング部分が１２．４４６から１２．９５４ｃｍ（４．９から５．１インチ）の範囲内となるように切断するステップを含む形態９に記載の方法。
［形態１２］
前記チュービングは、約５．０８０ｍｍ（０．２００インチ）±０．０７６ｍｍ（０．００３インチ）の外径および約３．０４８ｍｍ（０．１２０インチ）±０．０７６ｍｍ（０．００３インチ）の内径を有する形態９に記載の方法。
［形態１３］
前記チュービング部分の一端は、伸ばしの前にコネクタに取り付けられる形態９に記載の方法。
［形態１４］
前記チュービング部分は、バルク原材料から引き出され、前記チュービング部分は、伸ばし前に一端で支持または固定される形態９に記載の方法。
［形態１５］
前記チュービング部分は、伸ばし前に前記チュービング部分を前記蠕動ポンプカセットのコネクタに取り付けることによって支持または固定される形態１４に記載の方法。
［形態１６］
前記バルク原材料は、バラツキの所定の範囲内に収まるチュービングのロールである形態９に記載の方法。
［形態１７］
ポンプカセットにおける精度を改善する方法であって、
バルクチュービングを選択するステップと、
前記チュービングの部分を伸ばすステップと、
前記チュービングの前記部分を切断するステップと、
前記チュービングの前記部分の少なくとも一端をコネクタに取り付けてポンプカセットを形成するステップとを含む方法。
［形態１８］
前記チュービングの前記部分は、チュービングの前記部分の伸ばし前にポンプカセットのコネクタに取り付けられる形態１７に記載の方法。
［形態１９］
前記チュービングの前記部分は、所定の力の下で伸ばされる形態１７に記載の方法。
［形態２０］
前記チュービングの前記部分は、所定の長さまで伸ばされる形態１７に記載の方法。